(57)【要約】【課題】  スロットルレバー操作するときに操作レバーに触れる点を解決することで、ハンドル回転の操作性を向上させることを可能にする。【解決手段】  機体１１の前部に枝葉などを切取る上下の切取り刃１３，１４を設け、機体１１の後部に作業者が握るハンドル１５を設け、このハンドル１５の前部にスロットルレバー３６を非作業位置から作業位置までスイング可能に設け、機体１１の中央に原動機１２を設けた動力作業機において、ハンドル１５が、口字状若しくはＯ字状を呈し、機体１１から延出した軸部３２に回転可能に取付け、この回転を止める下部レバー部（係止機構）８２をハンドル１５に設け、係止機構８２を解除してハンドル１５の回転を可能にするとともに係止機８２構の解除と同時にスロットルレバー３６を非作業位置でロックする上部レバー部（操作レバー）８１をハンドル１５の後部で操作できる部位に設けた。【選択図】      図３
2005160306.tif 000002
【特許請求の範囲】
【請求項１】
機体の前部に枝葉などを切取る切取り刃を設け、機体の後部に作業者が握るハンドルを設け、このハンドルの前部にスロットルレバーを非作業位置から作業位置までスイング可能に設け、機体の中央に原動機を設け、この原動機で前記切取り刃を駆動し、原動機の出力を前記スロットルレバーで調整する形式の動力作業機において、
前記ハンドルは、口字状若しくはＯ字状を呈し、前記機体から延出した軸部に回転可能に取付けたものであり、この回転を止める係止機構を前記ハンドルに設け、前記係止機構を解除してハンドルの回転を可能にするとともに前記係止機構の解除と同時に前記スロットルレバーを前記非作業位置でロックする操作レバーをハンドルの後部に設けたことを特徴とする動力作業機。
【発明の詳細な説明】
【技術分野】
【０００１】
本発明は、生垣の上面や側面を刈り込む時に刈り込み位置に応じてハンドルを回転させることで、作業性を向上させることができる動力作業機に関するものである。
【背景技術】
【０００２】
動力作業機として、機体にハンドルを回転自在に取付け、このハンドルに動力の出力を調整するスロットルレバーを設けるとともに、このスロットルレバーをロックすることのできるスロットルレバーを設けたものが実用に供されている。
実用の動力作業機は、スロットルレバーやスロットルロックレバーとは別に、機体にハンドルの回転を止める係止機構と、この係止機構を解除する操作レバーを備えるようにすれば実用上十分であった。
【０００３】
このような動力作業機として、スロットルレバーを引いたときは係止機構の解除を阻止できるようにしたものが知られている（例えば、特許文献１参照。）。
【特許文献１】特許第２９９７０２４号公報（第６頁、第２図）
【０００４】
図１１は従来の基本構成を説明する図であり、動力作業機２００は、機体２０１にハンドル２０２を回転自在に取付け、ハンドル２０２にスロットルレバー２０３を設け、このスロットルレバー２０３をロックするスロットル固定レバー２０４を設け、機体２０１にハンドル２０２を係止する若しくは係止解除をする操作レバー（係止解除レバー）２０５を設けることで、スロットルレバー２０３からスロットル固定レバー２０４を解除してスロットルレバー２０３を引いたときにスロットルレバー２０３の先端部２０６で操作レバー２０５を操作できないようにしたものである。
【０００５】
しかし、動力作業機２００では、スロットルレバー２０３から指を伸しただけで、触れることのできる位置に操作レバー２０５があるので、スロットルレバー２０３操作するときに操作レバー２０５に触れることがあり、誤操作をする可能性があるという問題があった。
すなわち、スロットルレバーを操作するときには操作レバーに触れることを防止でき、ハンドル回転の操作性を向上させることのことができる動力作業機が望まれる。
【発明の開示】
【発明が解決しようとする課題】
【０００６】
本発明は、スロットルレバー操作するときに操作レバーに触れる点を解決し、スロットルレバーを操作するときには操作レバーに触れることを防止できるとともに、ハンドル回転の操作性が悪い点を解決し、ハンドル回転の操作性を向上させることができる動力作業機を提供することを課題とする。
【課題を解決するための手段】
【０００７】
請求項１に係る発明は、機体の前部に枝葉などを切取る切取り刃を設け、機体の後部に作業者が握るハンドルを設け、このハンドルの前部にスロットルレバーを非作業位置から作業位置までスイング可能に設け、機体の中央に原動機を設け、この原動機で切取り刃を駆動し、原動機の出力をスロットルレバーで調整する形式の動力作業機において、ハンドルが、口字状若しくはＯ字状を呈し、機体から延出した軸部に回転可能に取付けたものであり、この回転を止める係止機構をハンドルに設け、係止機構を解除してハンドルの回転を可能にするとともに係止機構の解除と同時にスロットルレバーを非作業位置でロックする操作レバーをハンドルの後部に設けたことを特徴とする。
【０００８】
ハンドルを、口字状若しくはＯ字状に形成し、機体から延出した軸部に回転可能に取付け、この回転を止める係止機構をハンドルに設け、係止機構を解除するとともにスロットルレバーを非作業位置でロックする操作レバーをハンドルの後部に設けた。
【０００９】
すなわち、ハンドルを、口字状若しくはＯ字状に形成することで、例えば、スロットルレバーを握った手をハンドルから一旦離すことなく、操作レバーに移行させることができる。
係止機構を解除するとともにスロットルレバーを非作業位置でロックする操作レバーをハンドルの後部に設けることで、ハンドルの後部を握るだけで係止機構の解除及びハンドルの回転を一連の動作で行うことができる。また、スロットルレバーはハンドルの前部に取付けたものであり、スロットルレバーを操作するときには操作レバーに触れることを防止できる。
【発明の効果】
【００１０】
請求項１に係る発明では、口字状若しくはＯ字状に形成したので、例えば、スロットルレバーを握った手をハンドルから一旦離すことなく、操作レバーに移行させることができる。この結果、ハンドル回転の操作性を向上させることができるという利点がある。
【００１１】
係止機構を解除してハンドルの回転を可能にするとともにスロットルレバーを非作業位置でロックする操作レバーをハンドルの後部に設けたので、スロットルレバーを操作するときには操作レバーに触れることを防止できる。この結果、ハンドル回転の操作性を向上させることができるとともに誤操作の防止機能を高めることができるという利点がある。
【発明を実施するための最良の形態】
【００１２】
本発明を実施するための最良の形態を添付図に基づいて以下に説明する。なお、図面は符号の向きに見るものとする。
図１は本発明に係る動力作業機の斜視図であり、動力作業機１０は、エンジンなどの原動機（動力源）１２の回転を減速し、減速した回転を往復運動に変換し、この往復運動を上下の切取り刃（刈刃）１３，１４に伝達し、これらの上下の切取り刃１３，１４で生垣（hedge）の刈り込み作業を行う作業機であり、例えば、生垣の上面を刈り込む場合や生垣の側面を刈り込む場合における作業者の作業姿勢に応じてハンドル１５を回転できるようにしたものである。なお、動力作業機１０は、具体的には生垣などをトリミングするヘッジトリマ（hedge trimmer）である。
【００１３】
図２は本発明に係る動力作業機の側面図であり、動力作業機（ヘッジトリマ）１０は、機体１１に搭載した原動機１２と、この原動機１２に供給する燃料を貯留する燃料タンク１６と、この燃料タンク１６の給油口１７に被せるキャップ１８と、原動機１２を始動するリコイルスタータ用ノブ１９と、原動機１２廻りを囲う原動機カバー２１と、原動機１２の前面に設けることで刈り込み時に発生する切り枝若しくは葉などの飛び跳ねを防ぐプロテクタ２２と、機体１１の底に設けることで刈り込み時に生垣などに滑らせて作業を進めるためのカバー部材２３と、機体１１の後方に回転自在に設けることで作業時に機体１１を一方の手で支持する口字状若しくはＯ字状（閉ループ状）のハンドル１５と、機体１１の前方に設けることで作業時に機体１１を他方の手で支持する非回転式且つ閉ループ状の固定ハンドル２４と、機体１１の前方に延出することで上下の切取り刃１３，１４を支持する支持フレーム２５と、この支持フレーム２５に前後スライド可能に取付けた上下の切取り刃１３，１４と、これらの切取り刃１３，１４を支持フレーム２５に取付ける取付けねじ２６・・・（・・・は複数個を示す。以下同じ）と、これらの取付けねじ２６・・・にねじ込むナット２７・・・を主要構成とする作業機である。
【００１４】
図３は本発明に係る動力作業機のハンドルの側面断面図であり、半割りにした左右のハンドル半割体３３，３４（図１参照）の内の右のハンドル半割体３４を外した状態を示す。
機体１１には、原動機１２の回転を減速する減速機能及び減速回転を往復運動に変換する変換機能を内蔵などをするケース体３１と、このケース体３１に設けることでハンドル１５を回転自在に取付ける軸部３２とを備える。
【００１５】
ハンドル１５は、半割りにした左右のハンドル半割体３３，３４（３４は不図示）を合わせることで組立てるハンドル本体３５と、このハンドル本体３５に回転自在に取付けることで原動機１２（図２参照）の出力を調整するスロットルレバー３６と、このスロットルレバー３６をロックするためにハンドル本体３５にスイング自在に取付けたスロットル固定レバー（スロットルロックレバー）３７と、スロットルレバー３６を必要なときにロックするとともに機体１１の軸部３２にハンドル１５を所定の角度で係止するためにハンドル本体３５に前後スライド可能に取付けたレバー複合体３８と、このレバー複合体３８を前方に押出す圧縮ばね４１と、スロットル固定レバー３７及び左ハンドル半割体３３の間に付勢したトーションばね４２と、原動機１２を始動可能状態若しくは停止状態にする始動スイッチ３９と、からなる。なお、スロットルレバー３６は、初期状態に戻すトーションばね４３を備える。
【００１６】
図４は本発明に係る動力作業機のハンドルの主な部品を示す分解斜視図である。
軸部３２は、ケース体３１に取付ける取付け部５１と、ハンドル本体３５を回転自在に支持する円筒部５２と、ハンドル本体３５を所定角度で係止するための溝５３・・・と、を備える。
【００１７】
左のハンドル半割体３３は、軸部３２に嵌合させる左嵌合部５４と、スロットルレバー３６を回転自在に取付けるスロットルレバー用ボス５５と、スロットル固定レバー３７を回転自在に取付ける固定レバー用ボス５６と、レバー複合体３８をスライド可能に取付ける上下の案内部５７，５８と、後述する左スプリング受けリブ５９と、圧縮ばね４１の一端を保持する一端保持部６１と、トーションばね４２の一端を掛けるばね掛け部６２と、を形成した。
【００１８】
右のハンドル半割体３４は、軸部３２に嵌合させる右嵌合部６４と、レバー複合体３８をスライド可能に取付ける上下の案内部６７，６８と、後述する右スプリング受けリブ６９と、を形成した。
【００１９】
スロットルレバー３６は、スロットルレバー用ボス５５に回転可能に嵌合させる軸孔７１と、スロットルワイヤ７２を支持する支持部７３と、スロットル固定レバー３７に当てる当て部７４と、スロットル固定レバー３７を逃がす逃げ部７５と、レバー複合体３８をロックするロック部７６と、を備える。
【００２０】
スロットル固定レバー３７は、固定レバー用ボス５６に回転可能に嵌合させる孔７７と、スロットルレバー３６の当て部７４に当てる若しくは逃げ部７５に逃がす作用部７８と、トーションばね４２を掛けるレバー側ばね掛け部７９と、を備える。
【００２１】
レバー複合体３８は、操作レバー（係止解除レバー）としての上部レバー部８１と、この上部レバー部８１に一体的に形成した係止機構としての下部レバー部８２と、からなる。
上部レバー部８１は、ハンドル本体３５の後部内側から突出させることで操作可能な操作部８３と、スロットルレバー３６を握ったときにロック部７６に嵌合させる嵌合部８４と、下部レバー部８２を後方に移動したときにスロットルレバー３６のロック部７６を受けることでスロットルレバー３６をスイング不可能にするストッパ部８５と、圧縮ばね４１の他端を保持する他端保持部８６と、を形成した。
【００２２】
図５は本発明に係る動力作業機の係止機構の断面図であり、下部レバー部（係止機構）８２は、軸部３２の任意の溝５３・・・に嵌合させる突起９２と、この突起９２からハンドル１５後方に延出した延出部９３と、この延出部９３に形成したスプリング保持部９４と、このスプリング保持部９４に前端を支持させるとともに後端を左・右スプリング受けリブ５９，６９（図４参照）に支持させることでレバー複合体３８全体を復帰させる復帰ばね９５と、から構成した。
【００２３】
図６は図５の６−６線断面図であり、すなわち、下部レバー部（係止機構）８２は、スプリング保持部９４に復帰ばね９５を収納し、この復帰ばね９５の後端を左・右スプリング受けリブ５９，６９（図４参照）に支持させ、ハンドル１５（図２参照）前方に向けてレバー複合体３８を付勢したものである。
【００２４】
従って、レバー複合体３８をハンドル１５後方に引くことで、図５に示す軸部３２の任意の溝５３・・・から突起９２を外すことができ、機体１１（図２参照）からハンドル１５の回転を許容できる。また、レバー複合体３８を離すことで、ハンドル１５を所定回転させた位置に当面させた任意の溝５３・・・に復帰ばね９５及び先に説明した圧縮ばね４１（図３参照）の相乗作用で突起９２を自動的に係止できる。
【００２５】
図７は本発明に係る動力作業機の要部拡大図であり、動力作業機１０は、機体１１の前部に枝葉などを切取る上下の切取り刃１３，１４を設け、機体１１の後部に作業者が握るハンドル１５を設け、このハンドル１５の前部にスロットルレバー３６を非作業位置から作業位置までスイング可能に設け、機体１１の中央に原動機１２を設け、この原動機１２で切取り刃１３，１４を駆動し、原動機１２の出力をスロットルレバー３６で調整する形式の動力作業機において、ハンドル１５が、口字状若しくはＯ字状を呈し、機体１１から延出した軸部３２に回転可能に取付けたものであり、この回転を止める下部レバー部（係止機構）８２をハンドル１５に設け、係止機構８２を解除してハンドル１５の回転を可能にするとともに係止機８２構の解除と同時にスロットルレバー３６を非作業位置でロックする上部レバー部（操作レバー）８１をハンドル１５の後部で操作できる部位に設けたものであると言える。
【００２６】
例えば、スロットルレバーを操作するときには操作レバーに触れることを防止できるとすれば、誤操作の防止機能を高める上で好ましいことであり、ハンドル回転の操作性を向上させることができるとすれば、動力作業機の使い勝手を向上させることができるので好ましいことである。
【００２７】
すなわち、ハンドル１５を、口字状若しくはＯ字状に形成することで、例えば、スロットルレバー３６を握った手をハンドル１５から一旦離すことなく上部レバー部（操作レバー）８１に移行させることができる。この結果、ハンドル１５回転の操作性を向上させることができる。
【００２８】
下部レバー部（係止機構）８２を解除してハンドル１５の回転を可能にするとともに下部レバー部（係止機構）８２の解除と同時にスロットルレバー３６を非作業位置でロックする上部レバー部（操作レバー）８１をハンドル１５の後部で操作できる部位に設けることで、ハンドル１５の後部を握るだけで下部レバー部（係止機構）８２の解除及びハンドル１５の回転を一連の動作で行うことができる。
【００２９】
また、スロットルレバー３６はハンドル１５の前部に取付けたものであり、スロットルレバー３６を操作するときには上部レバー部（操作レバー）８１の操作部８３に触れることを防止できる。この結果、ハンドル１５回転の操作性を向上させることができるとともに誤操作の防止機能を高めることができる。
【００３０】
以上に述べた動力作業機の作用を説明する。
図８（ａ），（ｂ）は本発明に係る動力作業機のハンドル係止状態及びレバー複合体のロック状態を示す作用説明図である。
（ａ）において、スロットルレバー３６の当て部７４にスロットル固定レバー３７の作用部７８を当てた状態にしたので、スロットルレバー３６を矢印ａ１の如く引くことを防止できる。
【００３１】
（ｂ）において、スロットル固定レバー３７を矢印ａ２の如く押し込むことで、作用部７８を当て部７４から逃がする。これにより、スロットルレバー３６を作動可能状態にすることができる。
【００３２】
図９（ａ），（ｂ）は本発明に係る動力作業機のスロットルレバー作動状態及びハンドル回転状態を示す作用説明図である。
（ａ）において、スロットルレバー３６を矢印ａ３の如く引くことで、スロットル固定レバー３７の作用部７８をスロットルレバー３６の逃げ部７５に逃がし、図１に示す上下の切取り刃１３，１４を作動させ刈り込み作業を行うことができる。
また、ロック部７６を上部レバー部（操作レバー）８１の嵌合部８４に嵌合させ、レバー複合体３８（上部・下部レバー部８１，８２）をロック状態にする。これにより、スロットルレバー３６操作中はハンドル１５の回転操作を阻止することができる。
【００３３】
（ｂ）において、図８（ａ）に示すスロットルレバー３６、スロットル固定レバー３７及びレバー複合体３８の状態から、ハンドル１５後部及び上部レバー８１の操作部８３を一括して握ることで、レバー複合体３８を矢印ａ４の如く引き復帰ばね９５及び圧縮ばね４１を撓ませて溝５３から突起９２を外してハンドル１５の回転を可能にすると同時に、上部レバー部８１のストッパ部８５でスロットルレバー３６のロック部７６を受け止めてスロットルレバー３６の作動を止める。これにより、ハンドル１５の回転操作中はスロットルレバー３６を動かすことができないので、スロットルレバー３６操作を阻止することができる。
【００３４】
この状態で、ハンドル１５を回転させて所定の溝５３に突起９２を臨ませ、操作部８３から握った手を離し、撓ませた復帰ばね９５及び圧縮ばね４１の復帰作用（弾発作用）で突起９２を所定の溝５３に嵌合させることができる。
【００３５】
図１０（ａ）〜（ｃ）は本発明に係る動力作業機のハンドルのセット位置の態様を示す作用説明図である。
（ａ）において、ハンドル１５を左へ９０度回転させたときの動力作業機１０の状態であり、例えば、生垣などの側面下方をトリミングする場合に好都合な設定である。
（ｂ）において、ハンドル１５を正規の位置にセットした動力作業機１０の状態であり、例えば、生垣などの上面をトリミングする場合に好都合な設定である。
（ｃ）において、ハンドル１５を右へ９０度回転させたときの動力作業機１０の状態であり、例えば、生垣などの側面上方をトリミングする場合に好都合な設定である。
【００３６】
尚、本発明に係る動力作業機は、図２に示すように、上下の切取り刃１３，１４を駆動するように説明したが、これに限るものではなく、上下の切取り刃の一方を往復運動をするようにしたものであってもよい。
【００３７】
本発明に係る動力作業機は、図１に示すように、上下の切取り刃１３，１４は左右に刈取り機能を有する両刃であってが、これに限るものではなく、上下の切取り刃は一方に刈取り機能を備える片刃であってもよい。
【００３８】
本発明に係る動力作業機は、図４に示すように、左のハンドル半割体３３にスロットルレバー用ボス５５及び固定レバー用ボス５６を設けたが、これに限るものではなく、右のハンドル半割体にスロットルレバー用ボス及び固定レバー用ボスを設けたものでもよく、左右のハンドル半割体の双方にスロットルレバー用ボス及び固定レバー用ボスを設けたものであってもよい。
【００３９】
本発明に係る動力作業機は、図３に示すように、操作レバー（上部レバー部）８１及び係止機構（下部レバー部）８２をレバー複合体３８として一体的に形成したが、これに限るものではなく、操作レバー（上部レバー部）及び係止機構（下部レバー部）を別体で形成し、これらの操作レバー及び係止機構をピン結合したものであってもよい。
【産業上の利用可能性】
【００４０】
本発明に係る動力作業機は、生垣などの手入れに使用するヘッジトリマに採用するのに好適である。
【図面の簡単な説明】
【００４１】
【図１】本発明に係る動力作業機の斜視図である。
【図２】本発明に係る動力作業機の側面図である。
【図３】本発明に係る動力作業機のハンドルの側面断面図である。
【図４】本発明に係る動力作業機のハンドルの主な部品を示す分解斜視図である。
【図５】本発明に係る動力作業機の係止機構の断面図である。
【図６】図５の６−６線断面図である。
【図７】本発明に係る動力作業機の要部拡大図である。
【図８】本発明に係る動力作業機のハンドル係止状態及びレバー複合体のロック状態を示す作用説明図である。
【図９】本発明に係る動力作業機のスロットルレバー作動状態及びハンドル回転状態を示す作用説明図である。
【図１０】本発明に係る動力作業機のハンドルのセット位置の態様を示す作用説明図である。
【図１１】従来の基本構成を説明する図である。
【符号の説明】
【００４２】
１０…動力作業機、１１…機体、１２…原動機、１３，１４…上下の切取り刃、１５…ハンドル、３２…軸部、３６…スロットルレバー、８１…操作レバー（上部レバー部）、８２…係止機構（下部レバー部）。
【図１】
2005160306.tif 000003
【図２】
2005160306.tif 000004
【図３】
2005160306.tif 000005
【図４】
2005160306.tif 000006
【図５】
2005160306.tif 000007
【図６】
2005160306.tif 000008
【図７】
2005160306.tif 000009
【図８】
2005160306.tif 000010
【図９】
2005160306.tif 000011
【図１０】
2005160306.tif 000012
【図１１】
2005160306.tif 000013